(57)【要約】      （修正有）【課題】美観に優れるクッションを提供する。【解決手段】一対の布体１０と、両布体１０の間に介在したクッション材とを備え、両布体１０を周縁に沿って互いに縫製して形成される環状縫製線部１１と、当該環状縫製線部１１に直交するように同じ長さにわたって縫製して形成される複数の短長直線状縫製線部１２とを備え、短長直線状縫製線部１２は、環状縫製線部１１を基準として両布体１０の中心の手前まで形成されると共に、両布体１０側にそれぞれ同じ長さにわたって形成されてなる。【選択図】図１
0003224847.tif 000002
【実用新案登録請求の範囲】
【請求項１】
一対の布体と、両布体の間に介在したクッション材と、を備えたクッションであって、
重ね合わされた前記両布体の周縁が縫製されて形成される環状縫製線部と、
当該環状縫製線部に直交するように、同じ長さで縫製されて形成される複数の短長直線状縫製線部と、
を備え、
前記短長直線状縫製線部は、前記環状縫製線部を基準として両布体の中心の手前まで形成されてなると共に、両布体側にそれぞれ同じ長さにわたって形成されてなる
ことを特徴とするクッション。
【請求項２】
請求項１に記載のクッションが収容される箱体であって、
正面視多角形状で、当該多角形状を有する正面壁部又は背面壁部が開閉可能である
ことを特徴とする箱体。
【請求項３】
請求項２に記載の箱体の内部に請求項１に記載のクッションが収容されてなるクッション箱体セットであって、
前記箱体に前記クッションが収容された状態で、前記箱体の正面壁部に前記一対の布体のうちいずれかが対向してなる
ことを特徴とするクッション箱体セット。
【考案の詳細な説明】
【技術分野】
【０００１】
本考案は、クッション、当該クッションを収容する箱体、及び箱体内にクッションが収容されたクッション箱体セットに関する。
【背景技術】
【０００２】
従来から、種々の形状を有したクッションが提案されている（例えば特許文献１参照）。
【先行技術文献】
【特許文献】
【０００３】
【特許文献１】意匠登録第１６３８８０２号公報
【考案の概要】
【考案が解決しようとする課題】
【０００４】
しかしながら、従来のクッションにあっては、基本的に店頭陳列時において単に山積みされているだけであったり、単純な直方体形状の箱体に収容されているだけであったりして、見た目での集客力に劣るという問題があった。そのため、従来にない斬新な外観を有するクッションが強く求められていた。
【０００５】
本考案は、美観に優れたクッションを提供することを目的とする。
【０００６】
また本考案は、内容物であるクッションに適した外観を有し、美観に優れた箱体を提供することを目的とする。
【０００７】
さらに本考案は、開封時に購入者を高揚させることができるクッション箱体セットを提供することを目的とする。
【課題を解決するための手段】
【０００８】
本考案は、一対の布体と、両布体の間に介在したクッション材と、を備えたクッションであって、重ね合わされた前記両布体の周縁が縫製されて形成される環状縫製線部と、当該環状縫製線部に直交するように、同じ長さで縫製されて形成される複数の短長直線状縫製線部と、を備え、前記短長直線状縫製線部は、前記環状縫製線部を基準として両布体の中心の手前まで形成されてなると共に、両布体側にそれぞれ同じ長さにわたって形成されてなることを特徴とするクッションである。
【０００９】
かかる構成にあっては、クッションのほぼ中央領域が多角形状に見えて美観に優れる。
【００１０】
また本考案は、前記クッションが収容される箱体であって、正面視多角形状で、当該多角形状を有する正面壁部又は背面壁部が開閉可能であることを特徴とする箱体である。
【００１１】
かかる構成にあっては、前記箱体が正面視多角形状であるため美観に優れる。また前記箱体を陳列した際に多角形状の正面部分を購買者に効果的に視認させることができる。
【００１２】
さらに本考案は、前記箱体の内部に前記クッションが収容されてなるクッション箱体セットであって、前記箱体に前記クッションが収容された状態で、前記箱体の正面壁部に前記一対の布体のうちいずれかが対向してなることを特徴とするクッション箱体セットである。
【００１３】
かかる構成にあっては、前記箱体を開封したときに前記クッションの布体の多角形状を有する中央領域が即時に視認可能となって見た目がよい。
【考案の効果】
【００１４】
本考案にかかるクッションは、美観に優れる効果がある。
【００１５】
また本考案にかかる箱体は、美観に優れ、陳列しやすく、店頭で注目を惹きやすい効果がある。
【００１６】
さらに本考案にかかるクッション箱体セットは、開封したときに見た目がよくなる効果がある。
【図面の簡単な説明】
【００１７】
【図１】実施例にかかるクッションの正面図である。
【図２】実施例にかかるクッションの側面図である。
【図３】実施例にかかるクッション箱体セットの斜視図である。
【図４】実施例にかかるクッション箱体セットの正面壁部を開封した状態を示す斜視図である。
【考案を実施するための形態】
【００１８】
以下に本考案を具体化した実施例を詳細に説明する。なお、本考案は、下記に示す実施例に限定されることはなく、適宜、設計変更が可能である。
【００１９】
クッション１は、図１，図２に示すように、同一形状を有した一対の布体１０，１０と、両布体１０，１０の間に介在した図示しないクッション材と、を備えている。
【００２０】
またクッション１は、両布体１０，１０を周縁に沿って互いに縫製して形成される環状縫製線部１１と、当該環状縫製線部に直交するように同じ長さにわたって縫製して形成される複数の短長直線状縫製線部１２と、を備えている。
【００２１】
なお、短長直線状縫製線部１２は、環状縫製線部１１を基準として両布体１０，１０の中心より手前まで形成されると共に、両布体１０，１０側にそれぞれ同じ長さにわたって形成されている。
【００２２】
上述のクッション１は、まず一対の布体１０，１０を個別に縫製して短長直線状縫製線部１２を形成して布体１０を袋状に形成し、内部にクッション材を封入して両布体１０，１０の周縁を縫製して環状縫製線部１１を形成することによって製造することができる。
【００２３】
このようにして得られるクッション１は、布体１０の中央領域１３に縫製線が形成されず、短長直線状縫製線部１２の数に合わせて多角形状（本実施例においては五角形）に見え、あたかも宝石の如く美観に優れる。また、縫製線がない中央領域１３は特にクッション性がよくなる。
【００２４】
次に、クッション１が収容される箱体２０及び箱体２０にクッション１が収容されたクッション箱体セット３０について説明する。
【００２５】
箱体２０は、図３，図４に示すように、正面視多角形状（本実施例においては八角形状）を有している。また当該多角形状を有する正面壁部２１が開封可能とされている。そして上面には箱体２０を持ち運ぶための帯状の持ち手部２２が配設されている。
【００２６】
かかる構成にあって、箱体２０の正面壁部２１を開封すると、図４に示すように、正面壁部２１が閉鎖していた正面開口２３が開放される。このとき、クッション１は、箱体２０の正面壁部２１に布体１０の一方が対向するように収容されている。従って、正面壁部２１を開封すると布体１０の中央領域１３が正面から即時に視認でき、クッション１を最も美しく見せることができる。なお、正面開口２３を形成する側壁の各辺部からは、折り返し片部２５ａ〜２５ｇがそれぞれ突出して形成されており、正面開口２３側へ向かって折り返されている。
【００２７】
このように箱体２０に収容されたクッション１を含めてクッション箱体セット３０が構成されている。
【００２８】
上記した実施例において、各部の寸法形状は適宜自由に選択可能である。
また、クッション１及び箱体２０の多角形状に特に限定はないが、クッション１はクッション性をよくするためには五角形以上の多角形状であることが好ましい。
また、クッション箱体セット３０において、クッション１が五角形形状を有し、箱体２０が八角形を有しているが、このように互いの多角形形状が異なっていてもよいし互いの多角形状を例えば六角形に揃える、といった構成としてもよい。
正面壁部２１が正面開口２３を閉鎖している状態を維持するためには、公知の閉鎖手段が用いられてよく、例えば正面壁部２１に凸片部を設け、折り返し片部２５ａ〜２５ｇに凸片部に対応する孔部を設けて凸片部が孔部に挿入されることによって正面壁部２１を固定する構成としてもよい。また、正面壁部２１を粘着テープ等によって固定するようにしても構わない。
また、箱体２０において正面壁部２１ではなく反対側の背面壁部が開封可能とされる構成であっても構わないし、正面壁部２１と背面壁部の両方が開封可能とされていてもよい。
【符号の説明】
【００２９】
１              クッション
１０            布体
１１            環状縫製線部
１２            短長直線状縫製線部
１３            中央領域
２０            箱体
２１            正面壁部
３０            クッション箱体セット
【図１】
0003224847.tif 000003
【図２】
0003224847.tif 000004
【図３】
0003224847.tif 000005
【図４】
0003224847.tif 000006